(57)【要約】【課題】ケミカルフィルタを交換する際の作業性に優れたコンパクトな気体浄化装置を提供する。【解決手段】気体を浄化するケミカルフィルタ５０を有し、上流端４１から流入する気体をケミカルフィルタによって浄化するとともに、浄化された気体を下流端４２から流出させる浄化流路部４０と、浄化流路部を内部に収納する筐体部１０と、筐体部の浄化流路部に沿って延びる外壁１１Ｕの一部に設けられた、筐体部外から気体を吸入し又はケミカルフィルタによって浄化された気体を筐体部外に排出するための開口部３０Ｕと、浄化流路部と筐体部の外壁との間に設けられ、浄化流路部と開口部とを繋ぐ連絡流路部９０と、を備え、ケミカルフィルタは、その側面５３Ｕが連絡流路部の内面９２の一部を構成するとともに、連絡流路部を横切って浄化流路部から筐体部外に引き出すことができるよう着脱可能に設けられている気体浄化装置１とする。【選択図】図５
2008246411.tif 000002
【特許請求の範囲】
【請求項１】
気体を浄化するケミカルフィルタを有し、上流端から流入する気体を前記ケミカルフィルタによって浄化するとともに、浄化された気体を下流端から流出させる浄化流路部と、
前記浄化流路部を内部に収納する筐体部と、
前記筐体部の前記浄化流路部に沿って延びる外壁の一部に設けられた、前記筐体部外から気体を吸入し又は前記ケミカルフィルタによって浄化された気体を前記筐体部外に排出するための開口部と、
前記浄化流路部と前記筐体部の前記外壁との間に設けられ、前記浄化流路部と前記開口部とを繋ぐ連絡流路部と、
を備え、
前記ケミカルフィルタは、その側面が前記連絡流路部の内面の一部を構成するとともに、前記連絡流路部を横切って前記浄化流路部から前記筐体部外に引き出すことができるよう着脱可能に設けられている
ことを特徴とする気体浄化装置。
【請求項２】
前記開口部は、前記筐体部の前記外壁のうち前記ケミカルフィルタの前記側面に対向する位置に開閉可能に設けられており、
前記ケミカルフィルタは、開状態の前記開口部を介して前記筐体部外に引き出すことができるよう着脱可能に設けられている
ことを特徴とする請求項１に記載の気体浄化装置。
【請求項３】
前記筐体部の前記外壁は、前記浄化流路部の上方に設けられ、
前記開口部は、前記ケミカルフィルタによって浄化された気体を排出するための排出口部であり、
前記ケミカルフィルタは、開状態の前記開口部を介して上方に引き出すことができる
ことを特徴とする請求項１又は２に記載の気体浄化装置。
【請求項４】
前記浄化流路部は、前記ケミカルフィルタの上流側に送風機を有し、前記ケミカルフィルタの下流側に集塵フィルタを有する
ことを特徴とする請求項１乃至３のいずれかに記載の気体浄化装置。
【請求項５】
前記ケミカルフィルタによって浄化された気体を供給すべき部屋内に設置される室内設置型である
ことを特徴とする請求項１乃至４のいずれかに記載の気体浄化装置。
【発明の詳細な説明】
【技術分野】
【０００１】
本発明は、気体浄化装置に関し、特に、比較的高濃度の化学汚染物質を含む気体を浄化する気体浄化装置に関する。
【背景技術】
【０００２】
化学工場や塗装工場等の化学物質を扱う工場において、当該工場内の設備を集中的に管理する制御室を当該工場の敷地内に設置する場合がある。
【０００３】
この場合、例えば、工場の敷地内で大気中に放出された硫化水素、硫黄酸化物、塩素等の酸性物質によって、制御室内のコンピュータの配線が腐食する等の問題が発生し得る。
【０００４】
このような問題に対して、従来、例えば、制御室を、ケミカルフィルタやダクト等を備えたクリーンルームに改造することによって対処する方法があった（例えば、特許文献１）。
【特許文献１】特開２００４−２７８８８３号公報
【発明の開示】
【発明が解決しようとする課題】
【０００５】
しかしながら、上記従来技術においては、既存の制御室を改造するために大掛かりな工事が必要であることに加えて、大気中の酸性物質の濃度が比較的高いためにケミカルフィルタを頻繁に交換する必要が生じた場合に、当該ケミカルフィルタを交換する際の作業性に問題があった。
【０００６】
本発明は、上記課題に鑑みて為されたものであって、ケミカルフィルタを交換する際の作業性に優れたコンパクトな気体浄化装置を提供することをその目的の一つとする。
【課題を解決するための手段】
【０００７】
上記課題を解決するための本発明の一実施形態に係る気体浄化装置は、気体を浄化するケミカルフィルタを有し、上流端から流入する気体を前記ケミカルフィルタによって浄化するとともに、浄化された気体を下流端から流出させる浄化流路部と、前記浄化流路部を内部に収納する筐体部と、前記筐体部の前記浄化流路部に沿って延びる外壁の一部に設けられた、前記筐体部外から気体を吸入し又は前記ケミカルフィルタによって浄化された気体を前記筐体部外に排出するための開口部と、前記浄化流路部と前記筐体部の前記外壁との間に設けられ、前記浄化流路部と前記開口部とを繋ぐ連絡流路部と、を備え、前記ケミカルフィルタは、その側面が前記連絡流路部の内面の一部を構成するとともに、前記連絡流路部を横切って前記浄化流路部から前記筐体部外に引き出すことができるよう着脱可能に設けられていることを特徴とする。
【０００８】
本発明によれば、ケミカルフィルタを交換する際の作業性に優れたコンパクトな気体浄化装置を提供することができる。
【０００９】
また、前記開口部は、前記筐体部の前記外壁のうち前記ケミカルフィルタの前記側面に対向する位置に開閉可能に設けられており、前記ケミカルフィルタは、開状態の前記開口部を介して前記筐体部外に引き出すことができるよう着脱可能に設けられていることとしてもよい。この場合、ケミカルフィルタを交換する際の作業性を更に向上させることができる。また、前記筐体部の前記外壁は、前記浄化流路部の上方に設けられ、前記開口部は、前記ケミカルフィルタによって浄化された気体を排出するための排出口部であり、前記ケミカルフィルタは、開状態の前記開口部を介して上方に引き出すことができることとしてもよい。この場合、ケミカルフィルタを交換する際の作業性を更に向上させることができる。また、前記浄化流路部は、前記ケミカルフィルタの上流側に送風機を有し、前記ケミカルフィルタの下流側に集塵フィルタを有することとしてもよい。この場合、気体をより効果的に浄化することもできる。また、前記ケミカルフィルタによって浄化された気体を供給すべき部屋内に設置される室内設置型であることとしてもよい。この場合、既存の部屋内に設置するだけで当該部屋内の気体を効果的に浄化することもできる。
【発明を実施するための最良の形態】
【００１０】
以下に、本発明の一実施形態に係る気体浄化装置について、図面を参照しつつ説明する。なお、本発明に係る気体浄化装置は、本実施形態に限られるものではない。
【００１１】
図１、図２、図３はそれぞれ、本実施形態に係る気体浄化装置１（以下、「本装置１」という）の一例についての正面図、平面図、左側面図である。図４は、図１に示すＡ−Ａ線で本装置１を切断した断面図である。図５は、図２に示すＢ−Ｂ線で本装置１を切断した断面図である。なお、本装置１の右側面は図２に示す左側面と対称である。
【００１２】
まず、本装置１の概要について説明する。本装置１は、気体を浄化するケミカルフィルタ５０を内部に備えており、外部から吸引した気体を当該ケミカルフィルタ５０により浄化し、浄化された気体を外部に排出する。
【００１３】
本実施形態においては、本装置１が、浄化された気体を供給すべき部屋（図示せず）内に設置される室内設置型として実現される場合を例として説明する。すなわち、本装置１は、この部屋内において、当該部屋内の空気を吸入し、吸引した空気に含まれる化学汚染物質をケミカルフィルタ５０によって除去し、浄化後の空気を当該部屋内に排出する。
【００１４】
したがって、本装置１によれば、部屋内の空気に含まれる化学汚染物質の濃度を効果的に低減することができる。すなわち、本装置１は、例えば、設置される部屋が工場を集中管理するコンピュータ等の制御機器を備えた制御室である場合には、当該工場で発生し、当該制御室内の空気中に含まれる化学汚染物質による当該制御機器及び配線の汚染を効果的に抑制することができる。
【００１５】
ここで、本装置１が浄化する対象となる空気に含まれる化学汚染物質の濃度が高い場合（例えば、当該濃度がｐｐｍ（ｐａｒｔｓ  ｐｅｒ  ｍｉｌｌｉｉｏｎ）オーダーである場合）には、当該空気を浄化することによるケミカルフィルタ５０の劣化が急速に進行するため、当該ケミカルフィルタ５０を高い頻度で交換する必要が生じる。そこで、本装置１は、後述するように、ケミカルフィルタ５０を交換する際の作業性に優れたコンパクトな構成となっている。
【００１６】
次に、本装置１の詳細について説明する。本装置１は、ケミカルフィルタ５０を有する浄化流路部４０を備えている。この浄化流路部４０は、その内部を流通する気体をケミカルフィルタ５０によって浄化する。
【００１７】
ここで、ケミカルフィルタ５０としては、浄化の対象とする気体に含まれる化学汚染物質を除去できるものであれば、目的に応じて任意のものを選択して用いることができる。すなわち、ケミカルフィルタ５０としては、例えば、気体中の有機物質、酸性物質、塩基性物質等の化学汚染物質を吸着等によって除去できるケミカルフィルタ、気体中の異臭成分を吸着等によって除去できる脱臭フィルタ、気体中の化学汚染物質を分解除去できる触媒フィルタ等を用いることができる。
【００１８】
気体中の化学汚染物質を除去するためにケミカルフィルタ５０が備える機能剤としては、例えば、活性炭、イオン交換樹脂、ゼオライト、光触媒、マンガン触媒、銅マンガン触媒等を用いることができる。機能剤としてイオン交換樹脂を用いる場合には、例えば、空隙を多く有する無機繊維を骨格とした構造体に、気体中の酸性物質や塩基性物質が効果的に化学吸着するイオン交換樹脂を高密度に担持したものを好適に用いることができる。
【００１９】
また、ケミカルフィルタ５０としては、目的に応じて、任意の骨格構造のものを用いることができる。すなわち、ケミカルフィルタ５０としては、ハニカム構造体、プリーツ構造体、ペレット成形体、押し出し成形体、多孔質成形体等を用いることができ、圧力損失が小さく汚染物質の除去寿命が長いという点でハニカム構造体を好適に用いることができる。
【００２０】
本実施形態において、ケミカルフィルタ５０は、金属製の矩形の枠部５１内に、気体中の酸性物質を除去できる機能材５２が充填された板状のハニカム構造体である。このケミカルフィルタ５０は、浄化流路部４０内の上流から下流への送風方向（図４及び図５に示す矢印Ｘの指す方向）において、当該浄化流路部４０の中途部分を塞ぐように立設され、浄化流路部４０の一部を構成している。
【００２１】
そして、浄化流路部４０は、その上流端４１から流入する気体をケミカルフィルタ５０によって浄化するとともに、浄化された気体を下流端４２から流出させる。この浄化流路部４０において、ケミカルフィルタ５０は、着脱可能に設けられている。
【００２２】
図６には、図５に示す本装置１において、ケミカルフィルタ５０を浄化流路部４０から取り外し、又は当該浄化流路部４０に取り付ける場合の一例を示す。図６に示すように、ケミカルフィルタ５０は、浄化前の気体が流入する上流側の面５３Ｂ（以下、「流入面５３Ｂ」という）及び浄化後の気体が流出する下流側の面５３Ｆ（以下、「流出面５３Ｆ」という）に沿った方向にスライド可能に設けられている。
【００２３】
具体的に、浄化流路部４０の左側壁４７Ｌ及び右側壁４７Ｒには、平面視でＬ字型に形成されて上下方向に延びるレール状の左ガイド部４４Ｌ及び右ガイド部４４Ｒがそれぞれ設けられている（図４参照）。そして、ケミカルフィルタ５０は、その枠部５１が左右一対のガイド部４４Ｌ，４４Ｒに沿って上下方向に移動できるように設けられている。
【００２４】
このため、ケミカルフィルタ５０は、浄化流路部４０から上方に直線的に引き出すことにより、当該浄化流路部４０から抜き去ることができる。また、同様に、ケミカルフィルタ５０は、浄化流路部４０の所定の位置に対して下方に直線的に挿入することにより、当該浄化流路部４０に設置することもできる。
【００２５】
浄化流路部４０は、更に送風機６０を有している。この送風機６０としては、浄化流路部４０の一部に取り付け可能なものであれば、目的に応じて任意の種類のものを選択して用いることができる。すなわち、送風機６０としては、ターボファン、軸流ファン、ブロワ等を用いることができ、比較的小型で圧送を効果的に行うことができるという点でターボファンを好ましく用いることができる。
【００２６】
本実施例において、送風機６０は、回転軸６１と、当該回転軸６１を中心に回転可能に支持され、当該回転軸６１から放射状にねじられながら延びる複数の羽根が設けられたターボフィン部（図示せず）と、当該フィン部を回転させるための動力を発生させるモータ部（図示せず）と、を有するターボファンである。
【００２７】
送風機６０は、その回転軸６１が浄化流路部４０の送風方向に沿って延びるように配置されている。そして、この回転軸６１周りにターボフィン部が回転することによって、送風機６０は、浄化流路部４０内に気体を流通させることができる。また、本装置１への外部の気体の吸入と、本装置１から外部への浄化気体の排出もまた、送風機６０によって行うことができる。
【００２８】
また、図４〜図６に示す例において、送風機６０は、ケミカルフィルタ５０の上流側に設けられている。すなわち、送風機６０は、浄化流路部４０の上流端４１に形成された気体の流入口（図示せず）を塞ぐように設けられている。具体的に、浄化流路部４０は、送風機６０を収納する前室６３をケミカルフィルタ５０の上流側に有し、当該浄化流路部４０の上流端４１には送風機６０を支持するための支持部６２が固定されている。そして、送風機６０は、前室６３内において、支持部６２によってケミカルフィルタ５０から離隔して独立に支持されている。
【００２９】
また、浄化流路部４０は、更に集塵フィルタ７０を有している。この集塵フィルタ７０としては、浄化の対象とする気体に含まれる所望の種類や大きさの粒子を除去できるものであれば、目的に応じて任意のものを選択して用いることができる。
【００３０】
すなわち、集塵フィルタ７０としては、ＨＥＰＡ（Ｈｉｇｈ  Ｅｆｆｉｃｉｅｎｃｙ  Ｐａｒｔｉｃｌｅ  Ａｉｒ）フィルタやＵＬＰＡ（Ｕｌｔｒａ  Ｌｏｗ  Ｐｅｎｅｔｒａｔｉｏｎ  Ａｉｒ）フィルタを用いることができ、ＨＥＰＡフィルタを好ましく用いることができる。本実施形態において、集塵フィルタ７０はプリーツ構造で成形された板状のＨＥＰＡフィルタである。
【００３１】
この集塵フィルタ７０は、ケミカルフィルタ５０の下流側に設けられている。すなわち、集塵フィルタ７０は、浄化流路部４０の送風方向において、浄化流路部４０の下流端４２に形成された流出口（図示せず）を塞ぐように立設されている。具体的に、集塵フィルタ７０は、ボルト等の固定具７２により当該下流端４２に固定されている。
【００３２】
また、浄化流路部４０は、ケミカルフィルタ５０と集塵フィルタ７０とを繋ぐように設けられた連結部４５を有している。この連結部４５は、ケミカルフィルタ５０と集塵フィルタ７０との間に空隙を形成する枠状体である。
【００３３】
このように、浄化流路部４０においては、送風方向において、送風機６０と、ケミカルフィルタ５０と、集塵フィルタ７０と、が所定の間隔で直列的に設けられている。すなわち、本装置１において、送風機６０、ケミカルフィルタ５０、集塵フィルタ７０は、互いに独立して直線的に設けられている。
【００３４】
そして、図５に示すようにケミカルフィルタ５０が浄化流路部４０に設置されている状態において、前室６３の上面６４Ｕと、ケミカルフィルタ５０の上側面５３Ｕと、連結部４５の上面４６Ｕと、集塵フィルタ７０の上側面７１Ｕと、は互いに密着して配置され、全体として、送風方向に沿って延びる一つの連続した当該浄化流路部４０の上面４３Ｕを構成している。
【００３５】
また、図４及び図５に示す本装置１においては、送風機６０がケミカルフィルタ５０及び集塵フィルタ７０の上流側に配置されている。このため、浄化流路部４０内において、送風機６０により、ケミカルフィルタ５０及び集塵フィルタ７０を介した気体の圧送を効果的に行うことができる。
【００３６】
また、本装置１は、このような浄化流路部４０を内部に収納する筐体部１０を備えている。この筐体部１０は、直方体形状に形成され、浄化流路部４０に沿って延びる４つの外壁として、上外壁１１Ｕ、左外壁１１Ｌ、右外壁１１Ｒ、下外壁１１Ｄを有している。すなわち、これら上外壁１１Ｕ、左外壁１１Ｌ、右外壁１１Ｒ、下外壁１１Ｄはそれぞれ、浄化流路部４０の上方、左方、右方、下方において、当該浄化流路部４０内の送風方向に延びている。
【００３７】
また、筐体部１０は、浄化流路部４０の前方及び後方にそれぞれ配置された前外壁１１Ｆ及び後外壁１１Ｂを有している。すなわち、これら前外壁１１Ｆ及び後外壁１１Ｂは、浄化流路部４０内の送風方向において、浄化流路部４０の下流側及び上流側をそれぞれ遮るように設けられ、当該浄化流路部４０の下流端４２及び上流端４１にそれぞれ対向して配置されている。
【００３８】
更に、前外壁１１Ｆの中央部分には開口（図示せず）が形成されており、当該開口を塞ぐように前板１２が設けられている。また、筐体部１０は、浄化流路部４０を下方から支持する下外壁１１Ｄを有している。この下外壁１１Ｄの下方側の外面には、本装置１を下方から支持する複数の足部１３が設けられている。
【００３９】
また、上外壁１１Ｕ及び前板１２は、着脱可能に設けられている。すなわち、上外壁１１Ｕ及び前板１２は、例えば、ねじ止め等の可逆的な取り付け機構によって筐体部１０の他の部分にそれぞれ取り付けられている。このため、例えば、ねじを取り外す等により取り付け機構を解除することで、上外壁１１Ｕ及び前板１２を筐体部１０から取り外すことができる。
【００４０】
したがって、浄化流路部４０の上方を覆う上外壁１１Ｕを筐体部１０から取り外した状態においては、当該浄化流路部４０に設置されているケミカルフィルタ５０を上方にスライドさせることによって、当該浄化流路部４０の上方に形成された当該筐体部１０の開口部分から当該ケミカルフィルタ５０を当該筐体１０外に取り出すことができる。
【００４１】
また、同様に、この筐体部１０の上外壁１１Ｕの開状態において、当該筐体部１０の開口部分を介して、ケミカルフィルタ５０を当該筐体部１０外から浄化流路部４０の所定位置に取り付けることができる。
【００４２】
一方、浄化流路部４０の前方を覆う前板１２を筐体部１０から取り外した状態においては、当該浄化流路部４０に集塵フィルタ７０を固定している固定具７２を取り外すことにより、当該筐体部１０の前外壁１１Ｆに形成された開口部分から当該集塵フィルタ７０を当該筐体１０外に取り出すことができる。
【００４３】
同様に、この筐体部１０の前板１２の開状態において、前外壁１１Ｆの開口部分を介して、当該筐体部１０外から浄化流路部４０の下流端４２に集塵フィルタ７０を設置することができる。
【００４４】
また、筐体部１０の前外壁１１Ｆの外面には、本装置１における圧力状態を示す差圧計、異常を知らせるアラーム表示灯、電源のオン／オフ状態を示す電源表示灯等を有する表示部１４が設けられている。そして、図５に示すように、この表示部１４に対応する前外壁１１Ｆの内面には、当該表示部１４を作動させるための電子部品１５が設けられている。すなわち、この電子部品１５は、ケミカルフィルタ５０より下流側に設けられている。このため、本装置１においては、浄化の対象とする気体に含まれる化学汚染物質によって電子部品１５が汚染されることを効果的に抑制することができる。
【００４５】
左外壁１１Ｌ及び右外壁１１Ｒのそれぞれの一部には、筐体部１０外から当該筐体部１０内に気体を吸入するための左吸入口部２０Ｌ及び右吸入口部Ｒが設けられている。左吸入口部２０Ｌ及び右吸入口部２０Ｒの中央には開口が形成され、当該開口を塞ぐように左プレフィルタ２１Ｌ及び右プレフィルタ２１Ｒがそれぞれ設けられている。
【００４６】
前板１２及び上外壁１１Ｕのそれぞれの一部には、ケミカルフィルタ５０によって浄化された気体を筐体部１０内から当該筐体部１０外に排出するための前排出口部３０Ｆ及び上排出口部３０Ｕが設けられている。前排出口部３０Ｆ及び上排出口部３０Ｕの中央には前開口３１Ｆ及び上開口３１Ｕがそれぞれ形成されている。そして、前開口３１Ｆ及び上開口３１Ｕには複数のルーバーを有する前グリル部３２Ｆ及び上グリル部３２Ｕがそれぞれ設けられている。
【００４７】
ここで、上排出口部３０Ｕは、図２及び図４に示すように、筐体部１０の上外壁１１Ｕのうち、浄化流路部４０に設置されているケミカルフィルタ５０の上側面５３Ｕに対向する位置に設けられている。すなわち、上排出口部３０Ｕは、ケミカルフィルタ５０の直上に設けられている。
【００４８】
更に、上排出口部３０Ｕは、開閉可能に設けられている。すなわち、本実施形態において、上排出口部３０Ｕの上グリル部３２Ｕは、ねじ止め等の可逆的な取り付け機構によって、上外壁１１Ｕに取り付けられている。このため、例えば、ねじを取り外す等により取り付け機構を解除することで、上グリル部３２Ｕを上外壁１１Ｕから取外し、上排出口部３０Ｕを開けることができる。
【００４９】
そして、この上グリル部３２Ｕが取外された上排出口部３０Ｕの開状態において、上外壁１１Ｕに形成される上開口３１Ｕは、ケミカルフィルタ５０の上側面５３Ｕよりも大きく形成されている。すなわち、上開口３１Ｕは、ケミカルフィルタ５０の矩形の上側面５３Ｕよりも大きな矩形に形成されている。
【００５０】
したがって、上排出口部３０Ｕの開状態においては、浄化流路部４０に設置されているケミカルフィルタ５０を上方に直線的にスライドさせることによって、当該ケミカルフィルタ５０を当該上排出口部３０Ｕの上開口３１Ｕから筐体１０外に引き出すことができる。
【００５１】
同様に、上排出口部３０Ｕの開状態において、当該上排出口部３０Ｕの上開口３１Ｕを介して、ケミカルフィルタ５０を当該筐体部１０外から浄化流路部４０の所定位置に挿入し、設置することができる。
【００５２】
また、本装置１は、浄化流路部４０と筐体部１０の左外壁１１Ｌ、右外壁１１Ｒ、後外壁１１Ｂとの間に設けられ、当該浄化流路部４０と左吸入口部２０Ｌ及び右吸入口部２０Ｒとを繋ぐ吸入流路部８０を備えている。
【００５３】
この吸入流路部８０は、筐体部１０内において浄化流路部４０の周囲に設けられている。すなわち、筐体部１０は、浄化流路部４０の左側壁４７Ｌの左方及び右側壁４７Ｒの右方において、前外壁１１Ｆから当該浄化流路部４０の上流端４１の位置まで、当該浄化流路部４０に沿って延びる左内壁１６Ｌ及び右内壁１６Ｒを有している。
【００５４】
そして、左吸入流路８１Ｌは、筐体部１０の左内壁１６Ｌと左外壁１１Ｌとの間に設けられ、右吸入流路８１Ｒは、当該筐体部１０の右内壁１６Ｒと右外壁１１Ｒとの間に設けられている。すなわち、これら左吸入流路８１Ｌ及び右吸入流路８１Ｒはそれぞれ、浄化流路部４０と筐体部１０の左外壁１１Ｌ及び右外壁１１Ｒとの間において、当該浄化流路部４０の送風方向に延びている。左吸入流路８１Ｌ及び右吸入流路８１Ｒはそれぞれ、左吸入口部２０Ｌ及び右吸入口部２０Ｒを介して筐体部１０の外部と連通している。
【００５５】
また、筐体部１０は、浄化流路部４０の上流端４１において、上外壁１１Ｕから下外壁１１Ｄまで上下方向に延び、且つ左内壁１６Ｌの上流端と右内壁１６Ｒの上流端とを繋ぐように設けられた後内壁１６Ｂを有している。そして、後吸入流路８１Ｂは、筐体部１０の後内壁１６Ｂと後外壁１１Ｂとの間において、左吸入流路８１Ｌと右吸入流路８１Ｒとを繋ぐよう設けられ、送風機６０を介して浄化流路部４０の内部と連通している。このように、吸入流路部８０は、浄化流路部４０の左方、右方、上流側を囲むよう、平面視（図４参照）でコの字状（Ｃ字状）に設けられている。
【００５６】
また、本装置１は、浄化流路部４０と筐体部１０の前外壁１１Ｆ及び前板１２、上外壁１１Ｕとの間に設けられ、当該浄化流路部４０と前排出口部３０Ｆ及び上排出口部３０Ｕとを繋ぐ排出流路部９０を備えている。
【００５７】
この排出流路部９０は、筐体部１０内において浄化流路部４０の周囲に設けられている。すなわち、前排出流路９１Ｆは、浄化流路部４０の下流端４２と筐体部１０の前外壁１１Ｆ及び前板１２との間に設けられ、上排出流路９１Ｕは、当該浄化流路部４０の上面４３Ｕと当該筐体部１０の上外壁１１Ｕとの間において、当該浄化流路部４０に沿って設けられている。そして、前排出流路９１Ｆは、集塵フィルタ７０を介して浄化流路部４０の内部と連通し、当該前排出流路９１Ｆの下流側に連なって当該浄化流路部４０の送風方向に延びる上排出流路９１Ｕは、上排出口部３０Ｕを介して筐体部１０の外部と連通している。このように、排出流路部９０は、浄化流路部４０の下流端４２から上流側に折り返して当該浄化流路部４０に沿って延びる、側面視（図４参照）でＬ字状に設けられている。
【００５８】
ここで、浄化流路部４０の上面４３Ｕは、同時に、上外壁１１Ｕに対向しつつ当該浄化流路部４０の送風方向に延びる、上排出流路９１Ｕの内面９２を構成している。すなわち、ケミカルフィルタ５０が浄化流路部４０に設置された状態において、前室６３の上面６４Ｕと、当該ケミカルフィルタ５０の上側面５３Ｕと、連結部４５の上面４６Ｕと、集塵フィルタ７０の上側面７１Ｕと、はそれぞれが上排出流路９１Ｕの内面９２の互いに異なる一部を構成している。
【００５９】
そして、ケミカルフィルタ５０の上側面５３Ｕは、上排出流路９１Ｕの内面９２のうち、筐体部１０の上外壁１１Ｕに設けられた上排出口部３０Ｕに対向する一部、すなわち上排出口部３０Ｕの直下の部分を構成している。
【００６０】
したがって、ケミカルフィルタ５０は、開状態の上外壁１１Ｕ又は上排出口部３０Ｕを介して浄化流路部４０の所定位置に差し込まれることにより、当該ケミカルフィルタ５０の上側面５３Ｕがそのまま上排出流路９１の内面９２の一部を構成することができる。このため、本装置１は、上排出流路９１を設けるために浄化流路部４０に加えて特別の部材を設ける必要がないため、コンパクトな構成とすることができる。
【００６１】
また、本装置１においては、上外壁１１Ｕと浄化流路部４０との間に設けられた上排出流路９１内にケミカルフィルタ５０の上側面５３Ｕが露出している。このため、本装置１においては、上外壁１１Ｕ又は上排出口部３０Ｕを開状態として、上排出流路９１Ｆを横切るようにケミカルフィルタ５０を上下方向に移動させるだけで、当該ケミカルフィルタ５０の取り外し又は取り付けを簡便且つ速やかに行うことができる。
【００６２】
このような本装置１は、送風機６０が作動することによって、当該本装置１外の気体（すなわち、当該本装置１が設置された部屋内の空気）を、左吸入口部２０Ｌ及び右吸入口部２０Ｒから、左プレフィルタ２１Ｌ及び右プレフィルタ２１Ｒを介して筐体部１０内に吸入する。吸入された気体は、左吸入流路８１Ｌ及び右吸入流路８１Ｒを通って後吸入流路８１Ｂに流入する。
【００６３】
浄化流路部４０は、後吸入流路８１Ｂに流入した気体を、上流端４１から送風機６０を介して吸入する。吸入された気体は、前室６３に流入する。送風機６０は、前室６３に流入した気体を圧送して、ケミカルフィルタ５０の流入面５３Ｂから当該ケミカルフィルタ５０の内部に流入させる。
【００６４】
ケミカルフィルタ５０は、その内部に流入してきた気体を機能材５２によって浄化する。すなわち、ケミカルフィルタ５０は、その内部を通過する気体に含まれる酸性物質を科学的に処理して、当該気体から効果的に除去する。ケミカルフィルタ５０により浄化された気体は、当該ケミカルフィルタ５０の流出面５３Ｆから流出し、当該ケミカルフィルタ５０と集塵フィルタ７０との間において連結部４５に形成された空間に流入する。
【００６５】
送風機６０は、連結部４５に流入した気体を更に圧送して、集塵フィルタ７０の内部に流入させる。集塵フィルタ７０は、その内部に流入してきた気体を浄化する。すなわち、集塵フィルタ７０は、ケミカルフィルタ５０により浄化された気体に含まれる微粒子を捕捉して、当該気体から効果的に除去する。集塵フィルタ７０により浄化された気体は、当該集塵フィルタ７０から流出する。
【００６６】
こうして、浄化流路部４０は、ケミカルフィルタ５０と集塵フィルタ７０とによって高度に浄化された気体を、下流端４２から当該浄化流路部４０外に流出させる。浄化流路部４０から流出した浄化気体は、排出流路部９０の前排出流路９１Ｆに流入する。
【００６７】
前排出流路９１Ｆに流入した浄化気体は、その一部が前排出口部３０Ｆから筐体部１０外の前方に排出される一方で、他の一部は当該前排出流路９１Ｆ内を上方に流通して上排出流路９１Ｆに流入する。すなわち、浄化気体の一部は、浄化流路部４０の下流側から上流側に折り返して上排出流路９１Ｆに流入し、当該上排出流路９１Ｆ内を本装置１の前方から後方に向けて（すなわち、浄化流路部４０の送風方向と逆方向に）流通する。
【００６８】
そして、上排出流路９１Ｆに流入した浄化気体は、最終的に上排出口部３０Ｕから筐体部１０外の上方に排出される。このように、本装置１は、当該本装置１が設置された部屋内の空気を内部で浄化し、浄化された気体を当該部屋内に供給する、という浄化処理を連続的に行うことができる。
【００６９】
更に、本装置１においては、ケミカルフィルタ５０の交換を簡便に行うことができる。すなわち、上排出口部３０Ｕを介してケミカルフィルタ５０を本装置１外に取り出す場合には、作業者は、まず当該上排出口部３０Ｕの上グリル部３２Ｕ（図２参照）を上外壁１１Ｕから取り外して、当該上排出口部３０Ｕを開状態とする（図６参照）。
【００７０】
次に、作業者は、上排出口部３０Ｕの上開口３１Ｕから筐体部１０内に手を入れて、当該上排出口部３０Ｕの直下において浄化流路部４０に設置されているケミカルフィルタ５０を、その流入面５３Ｂ及び流出面５３Ｆに沿って上方に引き上げる。
【００７１】
そして、作業者は、更に上排出流路９１Ｕを横切るようにケミカルフィルタ５０を上方に向けて直線的にスライドさせて、当該ケミカルフィルタ５０を上排出口部３０Ｕの上開口３１Ｕから筐体部１０外の上方に取り出すことができる。
【００７２】
逆に、作業者が上排出口部３０Ｕを介してケミカルフィルタ５０を本装置１に取り付ける場合には、まず、上排出口部３０Ｕを開状態とし、当該上排出口部３０Ｕの上開口３１Ｕから、ケミカルフィルタ５０を筐体部１０内に挿入する。
【００７３】
そして、作業者は、上排出流路９１Ｕを横切るようにケミカルフィルタ５０を筐体部１０内に挿入し、浄化流路部４０のガイド部４４Ｌ，４４Ｒに沿って下方に向けて直線的にスライドさせることにより、当該上排出流路９１Ｕの直下における当該浄化流路部４０の中途部分に、当該ケミカルフィルタ５０を嵌め込むことができる。浄化流路部４０に設置されたケミカルフィルタ５０の上側面５３Ｕは、そのまま上排出流路９１Ｕの内面９２の一部を構成することとなる。
【００７４】
このようなケミカルフィルタ５０の交換作業は、上外壁１１Ｕの一部に設けられた上排出口部３０Ｕを取り外す場合のみならず、当該上外壁１１Ｕそのものを取り外す場合においても、開状態の当該上外壁１１Ｕを介して同様に行うことができる。また、本装置１においては、このようなケミカルフィルタ５０の交換作業を、送風機６０の動作中においても行うことができる。
【００７５】
このように、本装置１は、気体を効果的に浄化できるコンパクトな構成であるとともに、ケミカルフィルタ５０の交換作業を簡便且つ迅速に行うことができる。なお、例えば、ケミカルフィルタ５０の上側面５３Ｕに、作業者が手を引っ掛けることのできる適切な形状の取っ手部（図示せず）を設けることによって、作業性を更に向上させることもできる。
【００７６】
また、本装置１において、送風機６０は、ケミカルフィルタ５０及び筐体部１０の後外壁１１Ｂのいずれからも離隔して独立に設けられている。このため、本装置１においては、送風機６０の作動に伴う筐体部１０の振動を効果的に抑制することができる。
【００７７】
また、本装置１は、筐体部１０の左方及び右方から部屋内の空気を吸入し、ケミカルフィルタ５０及び集塵フィルタ７０によって高度に浄化した空気を当該筐体部１０の前方及び上方に排出することができる。このため、例えば、本装置１を、筐体部１０の後外壁１１Ｂが部屋を構成する壁の内面の一部に沿うように配置することにより、当該本装置１を当該部屋の隅にコンパクトに配置できるとともに、当該部屋内に高度に浄化した空気を効果的に供給することができる。
【００７８】
また、本装置１は、ケミカルフィルタ５０による浄化を一段で行う。すなわち、本装置１は、一体的に構成されたケミカルフィルタ５０を浄化流路部４０の一箇所に設け、外部の気体を当該ケミカルフィルタ５０で浄化し、当該ケミカルフィルタ５０を一度通過した浄化気体をワンパスで当該本装置１外に排出する。このため、本装置１の構成をコンパクトにすることができる。
【００７９】
また、本装置１においては、送風機６０と、ケミカルフィルタ５０と、集塵フィルタ７０と、が直線上に配置されている。このため、本装置１は、その構成をコンパクトなものとすることができる。
【００８０】
図７には、本装置１の他の例について上方から見た断面図を示す。図７に示す本装置１においては、左吸入口部２０Ｌ又は右吸入口部２０Ｒの少なくとも一方が開閉可能に設けられている。また、ケミカルフィルタ５０は、その左側面５３Ｌが左吸入流路８１Ｌの内面８２Ｌのうち左吸入口部２０Ｌに対向する一部を構成し、また、その右側面５３Ｒが右吸入流路８１Ｒの内面８２Ｒのうち右吸入口部２０Ｒに対向する一部を構成している。
【００８１】
そして、ケミカルフィルタ５０は、開状態の左吸入口部２０Ｌ又は右吸入口部２０Ｒを介して筐体部１０外に引き出すことができるよう着脱可能に設けられている。すなわち、この例においては、ケミカルフィルタ５０が浄化流路部４０に設置されている状態において、前室６３の左側面６４Ｌ及び右側面６４Ｒと、ケミカルフィルタ５０の左側面５３Ｌ及び右側面５３Ｒと、連結部４５の左側面４６Ｌ及び右側面４６Ｒと、集塵フィルタ７０の左側面７１Ｌ及び右側面７１Ｒと、は互いに密着して配置され、全体として、それぞれ送風方向（図７に示す矢印Ｘの指す方向）に沿って延びる連続した当該浄化流路部４０の左側面４３Ｌ及び右側面４３Ｒを構成している。
【００８２】
そして、この浄化流路部４０の左側面４３Ｌ及び右側面４３Ｒはそれぞれ、左外壁１１Ｌ及び右外壁１１Ｒに対向する左吸入流路８１Ｌの内面８２Ｌ及び右吸入流路８１Ｒの内面８２Ｒをも構成している。
【００８３】
一方、左吸入口部２０Ｌ及び右吸入口部２０Ｒはそれぞれ、筐体部１０の左外壁１１Ｌ及び右外壁１１Ｒのうち、浄化流路部４０に設置されているケミカルフィルタ５０の左側面５３Ｌ及び右側面５３Ｒに対向する位置に開閉可能に設けられている。このため、左吸入口部２０Ｌ又は右吸入口部２０Ｒの開状態において、浄化流路部４０に設置されたケミカルフィルタ５０を流入面５３Ｂ及び流出面５３Ｆに沿って左方又は右方に直線的にスライドさせることにより、当該左吸入口部２０Ｌ又は右吸入口部２０Ｒを介して当該ケミカルフィルタ５０を筐体部１０外に引き出すことができる。
【００８４】
また、同様にして、開状態の左吸入口部２０Ｌ又は右吸入口部２０Ｒを介してケミカルフィルタ５０を筐体部１０内の浄化流路部４０に挿入し、設置することができる。また、筐体部１０の左外壁１１Ｌ又は右外壁１１Ｒの少なくとも一方を開閉可能に設けることにより、当該筐体部１０の左方又は右方に形成された開口部分を介してケミカルフィルタ５０の交換作業を同様に行うことができる。
【００８５】
［実施例］
次に、本装置１による浄化処理の具体的な一例について説明する。本実施例においては、図１〜図６に示した例に係る本装置１を準備した。筐体部１０は、上下方向長さが８００ｍｍ、左右方向長さが８００ｍｍ、前後方向長さが４８０ｍｍの直方体形状であった。左吸入口部２０Ｌ及び右吸入口部２０Ｒはいずれも、上下方向長さが６６０ｍｍ、前後方向長さが１６０ｍｍであった。前排出口部３０Ｆの上下方向長さ及び上排出口部３０Ｕの前後方向長さはいずれも１６０ｍｍであり、当該前排出口部３０Ｆ及び上排出口部３０Ｕの左右方向長さはいずれも６４０ｍｍであった。
【００８６】
本装置１には、ケミカルフィルタ５０として、機能材５２として酸性物質除去用のモールド構造体が充填されたケミカルフィルタ（ケミカルガードＡＸ、ニチアス株式会社製）を用いた。このケミカルフィルタ５０は、上下方向長さが６００ｍｍ、左右方向長さが６００ｍｍ、前後方向長さ（浄化流路部４０の送風方向長さにおける厚さ）が１００ｍｍであった。
【００８７】
また、集塵フィルタ７０としては、ＰＴＦＥ（Ｐｏｌｙｔｅｔｒａｆｌｕｏｒｏｅｔｈｙｌｅｒｅ）製ＨＥＰＡフィルタを用いた。この集塵フィルタ７０は、上下方向長さが６００ｍｍ、左右方向長さが６００ｍｍ、前後方向長さ（浄化流路部４０の送風方向における厚さ）が５０ｍｍであった。また、プレフィルタ２１Ｌ，２１Ｒとしては、不織布製粗塵用フィルタを用いた。このプレフィルタ２１Ｌ，２１Ｒは、いずれも上下方向長さが５８５ｍｍ、前後方向長さが１５５ｍｍ、左右方向長さ（厚さ）が１０ｍｍであった。
【００８８】
この本装置１を容積が７８．３ｍ３の部屋内に設置した。浄化の対象とする気体は、硫化水素ガスと塩素ガスとをそれぞれ１ｐｐｍの濃度で含む、温度２５℃、相対湿度５０％ＲＨ（Ｒｅｌａｔｉｖｅ  Ｈｕｍｉｄｉｔｙ）の部屋内の空気とした。
【００８９】
そして、本装置１が、この空気を、部屋が１時間に３回換気される処理速度で浄化した場合における、前排出口部３０Ｆから排出される浄化気体中に含まれる硫化水素ガス及び塩素ガスの濃度をクロマトグラフィーにより測定するとともに、８０％除去予測寿命を評価した。
【００９０】
なお、ケミカルフィルタ５０を通過する気体の流速は、単位面積当たり０．３ｍ／秒であり、前排出口部３０Ｆ及び上排出口部３０Ｕから排出される気体の流速はそれぞれ、開口部分の単位面積あたり１．１ｍ／秒及び０．６ｍ／秒であった。
【００９１】
また、ケミカルフィルタ５０の８０％除去予測寿命は、次のような方法で評価した。すなわち、８０％除去予測寿命は、ケミカルフィルタ５０を通過する前の空気中における硫化水素ガス又は塩素ガスの濃度Ｃｉ（μｇ／ｍ３）を１００％とした場合において、使用に伴い当該ケミカルフィルタ５０の除去性能が低下することにより、当該ケミカルフィルタ５０を通過した後の浄化空気中に残存している硫化水素ガス又は塩素ガスの濃度Ｃｏ（μｇ／ｍ３）が上昇して２０％になるまでの使用時間（硫化水素ガス又は塩素ガスの除去率が８０％に低下するまでの使用時間）として評価した。具体的には、８０％除去予測寿命は、上述の測定条件に加え、ケミカルフィルタ５０における気体の浄化に有効な表面積、硫化水素ガス又は塩素ガスの物質移動係数等を用い、Ｆｉｃｋの法則に従った拡散現象の理論モデル式に基づいて、差分法による数値解析により算出した。なお、硫化水素ガス又は塩素ガスの除去率（％）は、下記の式（Ｉ）により求めた。
【００９２】
【数１】
2008246411.tif 000003
【００９３】
この結果、前排出口部３０Ｆから排出される浄化気体中に含まれる硫化水素ガスの濃度及び塩素ガスの濃度はいずれも２５ｐｐｂ（ｐａｒｔｓ  ｐｅｒ  ｂｉｌｌｉｏｎ）であった。また、８０％除去予測寿命は、３．５月であった。
【００９４】
なお、本装置１は、上述した例に限られない。すなわち、例えば、本装置１において、ケミカルフィルタ５０を交換するために開閉可能に設けられる筐体部１０の外壁や、筐体部１０外から気体を吸入し又はケミカルフィルタ５０によって浄化された気体を当該筐体部１０外に排出するための開口部は、上述の例に限られず、当該筐体部１０の少なくとも一部の外壁又は当該開口部の少なくとも一部を任意に開閉可能に設けることができる。また、この開口部の数、形状、位置、大きさは、上述の例に限られず、適宜適切に設定することができる。
【００９５】
また、本装置１において筐体部１０の外壁の一部に開閉可能に設けられる開口部は、上述の例における上排出口部３０Ｕ、左吸入口部２０Ｌ、右吸入口部２０Ｒのように当該筐体部１０から取り外し可能なものに限られず、例えば、当該外壁の一部に設けられたヒンジ部を中心に回動することによって開閉可能なものとすることもできる。
【００９６】
また、本装置１においては、浄化流路部４０の送風方向において、送風機６０の上流側にケミカルフィルタ５０が設けられ、当該送風機６０の下流側に集塵フィルタ７０が設けられることとしてもよい。すなわち、この場合、ケミカルフィルタ５０は、浄化流路部４０の上流端４１を塞ぐように設けられ、集塵フィルタ７０は、当該浄化流路部４０の下流端４２を塞ぐように設けられ、送風機６０は、当該ケミカルフィルタ５０と当該集塵フィルタ７０との間に設けられる。したがって、この場合、浄化の対象とする気体に含まれる化学汚染物質による送風機６０の汚染を効果的に抑制することができるとともに、送風機６０による集塵フィルタ７０への圧送を効果的に行うこともできる。
【００９７】
また、ケミカルフィルタ５０と集塵フィルタ７０との組み合わせは、上述の例に限られず、目的に応じて任意に設定することができる。また、浄化流路部４０の送風機６０の上流側又は下流側の少なくとも一方には、ケミカルフィルタ５０及び集塵フィルタを気体が通過する際に、偏流が生じることを抑制するための邪魔板を適宜設置することもできる。
【図面の簡単な説明】
【００９８】
【図１】本実施形態に係る気体浄化装置の一例についての正面図である。
【図２】本実施形態に係る気体浄化装置の一例についての平面図である。
【図３】本実施形態に係る気体浄化装置の一例についての左側面図である。
【図４】図１に示すＡ−Ａ線で本実施形態に係る気体浄化装置を切断した断面図の一例である。
【図５】図２に示すＢ−Ｂ線で本実施形態に係る気体浄化装置を切断した断面図の一例である。
【図６】本実施形態に係る気体浄化装置の一例についてケミカルフィルタの着脱操作の過程の一部を示す断面図である。
【図７】本実施形態に係る気体浄化装置の他の例についての断面図である。
【符号の説明】
【００９９】
１  気体浄化装置、１０  筐体部、１１Ｆ  前外壁、１１Ｕ  上外壁、１１Ｌ  左外壁、１１Ｒ  右外壁、１１Ｂ  後外壁、１１Ｄ  下外壁、１２  前板、１３  足部、１４  表示部、１５  電子部品、１６Ｌ  左内壁、１６Ｒ  右内壁、１６Ｂ  後内壁、２０Ｌ  左吸入口部、２０Ｒ  右吸入口部、２１Ｌ  左プレフィルタ、２１Ｒ  右プレフィルタ、３０Ｆ  前排出口部、３０Ｕ  上排出口部、３１Ｆ  前開口、３１Ｕ  上開口、３２Ｆ  前グリル部、３２Ｕ  上グリル部、４０  浄化流路部、４１  上流端、４２  下流端、４３Ｕ  上面、４３Ｌ  左側面、４３Ｒ  右側面、４４  ガイド部、４５  連結部、４６Ｕ  上面、４６Ｌ  左側面、４６Ｒ  右側面、４７Ｌ  左側壁、４７Ｒ  右側壁、５０  ケミカルフィルタ、５１  枠部、５２  機能材、５３Ｕ  上側面、５３Ｂ  流入面、５３Ｆ  流出面、５３Ｌ  左側面、５３Ｒ  右側面、６０  送風機、６１  回転軸、６２  支持部、６３  前室、６４Ｕ  上面、６４Ｌ  左側面、６４Ｒ  右側面、７０  集塵フィルタ、７１Ｕ  上側面、７１Ｌ  左側面、７１Ｒ  右側面、７２  取付部材、８０  吸入流路部、８１Ｌ  左吸入流路、８１Ｒ  右吸入流路、８１Ｂ  後吸入流路、８２Ｌ  左内面、８２Ｒ  右内面、９０  排出流路部、９１Ｆ  前排出流路、９１Ｕ  上排出流路、９２  内面。
【図１】
2008246411.tif 000004
【図２】
2008246411.tif 000005
【図３】
2008246411.tif 000006
【図４】
2008246411.tif 000007
【図５】
2008246411.tif 000008
【図６】
2008246411.tif 000009
【図７】
2008246411.tif 000010